(57)【要約】【課題】基板及び基板よりも薄い光透過層を有してなる光ディスクを収容し、その反りを所定の制限値内に抑制することができる光ディスク用カートリッジを提供する。【解決手段】光ディスク用カートリッジ３２は、厚さ方向の一方側の開口部２０及び他方側の開口部３４を備え、これらの開口面積をいずれも光ディスク１６の面積の１／４以上とした。又、開口部２０の開口面積と、開口部３４の開口面積と、の比を１／４よりも大きく４よりも小さくした。【選択図】      図３
2004362687.tif 000002
【特許請求の範囲】
【請求項１】
基板及び該基板よりも薄い光透過層を有してなる光ディスクを収容するための薄い箱状体で、厚さ方向の一方側が閉塞されると共に、他方側には開口部が備えられ、且つ、該開口部の開口面積が前記光ディスクの面積の１／４以上で１／２よりも小さいことを特徴とする光ディスク用カートリッジ。
【請求項２】
基板及び該基板よりも薄い光透過層を有してなる光ディスクを収容するための薄い箱状体で、厚さ方向の両側に開口部が備えられ、且つ、前記厚さ方向の一方側の開口部及び他方側の開口部はいずれも開口面積が前記光ディスクの面積の１／４以上であることを特徴とする光ディスク用カートリッジ。
【請求項３】
請求項２において、
前記厚さ方向の一方側の開口部の開口面積と、他方側の開口部の開口面積と、の比が１／４よりも大きく４よりも小さいことを特徴とする光ディスク用カートリッジ。
【請求項４】
請求項２において、
前記厚さ方向の一方側の開口部の開口面積と、他方側の開口部の開口面積と、の比が１／２よりも大きく２よりも小さいことを特徴とする光ディスク用カートリッジ。
【請求項５】
請求項２乃至４のいずれかにおいて、
前記厚さ方向の一方側の開口部と、他方側の開口部と、が厚さ方向に対称的な形状に形成されたことを特徴とする光ディスク用カートリッジ。
【請求項６】
請求項２乃至５のいずれかにおいて、
前記厚さ方向の少なくとも一方側の開口部が複数の開口孔で構成されていることを特徴とする光ディスク用カートリッジ。
【請求項７】
請求項１乃至６のいずれかに記載の光ディスク用カートリッジと、該光ディスク用カートリッジに収容された光ディスクと、を備えることを特徴とする光記録媒体。
【発明の詳細な説明】
【０００１】
【発明の属する技術分野】
本発明は、基板及び該基板よりも薄い光透過層を有してなる大容量の光ディスクを収容するための光ディスク用カートリッジ及び光記録媒体に関する。
【０００２】
【従来の技術】
光ディスクは、レーザ光の波長を短くし、対物レンズの開口数ＮＡを大きくすることにより、記録密度を高めて、記録容量の増大を図ることが可能となる。一方、レーザ光の波長が短く、対物レンズの開口数が大きいほどコマ収差が発生して情報の記録・再生精度が低下する傾向があるが、光透過層の厚さを薄くすることで、光ディスクの傾き（反り）に対するマージンを確保し、情報の記録・再生精度を維持することができる。
【０００３】
近年、記録容量の大幅な増加を図るべく、４０５ｎｍ程度の短波長の青紫レーザ光を用いると共に開口数ＮＡを０．８５程度まで高め、これに対応するために、厚さが１．１ｍｍ程度の基板に基板よりも薄い０．１ｍｍ程度の光透過層を形成した構造の光ディスクが注目されている（例えば、特許文献１参照。）。
【０００４】
このタイプの光ディスクは例えば、射出成形された基板に、スピンコート法により光透過層を形成して製造される。このように基板と光透過層は、厚さが異なるだけでなく、作製方法等が相違するため、材質も異なる場合が生じる。
【０００５】
又、このタイプの光ディスクは記録密度が高く、埃、傷等が情報の記録、読取精度に影響しやすいため、薄い箱状体のカートリッジが用いられることがある。カートリッジには、光ディスクに対する情報伝達のための開口部が備えられており、光ディスクを収容した状態で記録、再生機器に装填することができるように構成されている。尚、情報伝達のための開口部に加えて、光ディスクへの印刷や光ディスクの脱着のための開口部が備えられることもある。
【０００６】
ここで、このタイプの光ディスクは、材質及び厚さが異なる基板と、光透過層と、が組合わされた構造であるため、短時間での急激な温度変化に伴って、反りが発生しやすいという問題がある。例えば、冬季に屋外に置かれ、外気温と近い温度まで冷却された光ディスクを通電により加熱されたビデオカメラ等に装填すると、光ディスクの環境温度が数秒で数十℃上昇し、反りが発生することがある。又、夏季に屋外に置かれ、外気温と近い温度まで加熱された光ディスクを冷房中の室内に置かれて冷却された記録・再生装置等に装着すると、光ディスクの環境温度が数秒で数十℃低下し、反りが発生することがある。反りが大きいと、情報の記録、読取ミスが発生しやすくなるため、所定の制限値内に反りを抑制する必要がある。
【０００７】
これに対し、例えば、基板における光透過層と反対側の面に線膨張係数が光透過層と同等の層を形成する等の改善を図ることにより、反りを所定の制限値内に抑制することが可能となっている。
【０００８】
【特許文献１】
特開２００３―８５８３６号公報
【０００９】
【発明が解決しようとする課題】
しかしながら、光ディスク単体の反りを所定の制限値内に抑制しても、光ディスクをカートリッジに収容すると、所定の制限値よりも大きな反りが光ディスクに発生することがあった。
【００１０】
本発明は、以上の問題点に鑑みてなされたものであって、基板及び基板よりも薄い光透過層を有してなる光ディスクを収容し、その反りを所定の制限値内に抑制することができる光ディスク用カートリッジを提供することをその課題とする。
【００１１】
【課題を解決するための手段】
発明者は、光ディスク単体の反りを所定の制限値内に抑制しても、光ディスクをカートリッジに収容すると、所定の制限値よりも大きな反りが光ディスクに発生する原因について鋭意研究を重ねた結果、短時間で急激に環境温度が変化した場合、カートリッジに収容された状態では、光ディスク単体の状態よりも光ディスクの温度分布が不均一になり、これにより反りが大きくなっていることを突き止めた。
【００１２】
例えば、片側だけに開口部が備えられたカートリッジに光ディスクを収容すると、周囲の温度が急激に変化した場合、光ディスクにおける開口部側の面の温度が比較的早く周囲の温度に近づき、反対側の面の温度は遅れて周囲の温度に近づく。即ち、一時的に光ディスクの温度分布が厚さ方向に不均一になり、これにより許容値を超える反りが発生することがある。
【００１３】
又、両側に開口部が備えられたカートリッジであっても、両開口部の開口面積の差が大きければ同様に、光ディスクの温度分布が一時的に厚さ方向に不均一になり、許容値を超える反りが発生することがある。
【００１４】
又、光ディスクは記録、再生機器に装填されるとチャックされるが、チャック機構に接する中心近傍部は他部よりも熱が伝導しやすいため、記録、再生機器の温度に速く近づく。即ち、光ディスクの温度分布が一時的に径方向に不均一になり、これにより許容値を超える反りが発生することがある。
【００１５】
本発明は、以上のような知見に基づき、環境温度が変化しても光ディスクの温度分布のばらつきを小さく抑制できるような好適な開口部をカートリッジに備えて、カートリッジ内の光ディスクの反りを所定の許容値内に収めるようにしたものである。
【００１６】
即ち、以下の発明により上記課題を解決したものである。
【００１７】
（１）基板及び該基板よりも薄い光透過層を有してなる光ディスクを収容するための薄い箱状体で、厚さ方向の一方側が閉塞されると共に、他方側には開口部が備えられ、且つ、該開口部の開口面積が前記光ディスクの面積の１／４以上で１／２よりも小さいことを特徴とする光ディスク用カートリッジ。
【００１８】
（２）基板及び該基板よりも薄い光透過層を有してなる光ディスクを収容するための薄い箱状体で、厚さ方向の両側に開口部が備えられ、且つ、前記厚さ方向の一方側の開口部及び他方側の開口部はいずれも開口面積が前記光ディスクの面積の１／４以上であることを特徴とする光ディスク用カートリッジ。
【００１９】
（３）前記厚さ方向の一方側の開口部の開口面積と、他方側の開口部の開口面積と、の比が１／４よりも大きく４よりも小さいことを特徴とする前記（２）の光ディスク用カートリッジ。
【００２０】
（４）前記厚さ方向の一方側の開口部の開口面積と、他方側の開口部の開口面積と、の比が１／２よりも大きく２よりも小さいことを特徴とする前記（２）の光ディスク用カートリッジ。
【００２１】
（５）前記厚さ方向の一方側の開口部と、他方側の開口部と、が厚さ方向に対称的な形状に形成されたことを特徴とする前記（２）乃至（４）のいずれかの光ディスク用カートリッジ。
【００２２】
（６）前記厚さ方向の少なくとも一方側の開口部が複数の開口孔で構成されていることを特徴とする前記（２）乃至（５）のいずれかの光ディスク用カートリッジ。
【００２３】
（７）前記開口部はメッシュ状に形成されたことを特徴とする前記（６）の光ディスク用カートリッジ。
【００２４】
（８）前記厚さ方向の一方側の開口部を開閉するための第１のシャターと、他方側の開口部を開閉するための第２のシャターと、が備えられたことを特徴とする前記（２）乃至（７）のいずれかの光ディスク用カートリッジ。
【００２５】
（９）前記第１のシャターと、前記第２のシャターと、が連動して開閉するように構成されたことを特徴とする前記（８）の光ディスク用カートリッジ。
【００２６】
（１０）前記開口部は、前記光ディスク及び外部ヘッド間の情報伝達のための情報伝達用開口孔と、通気のための通気用開口孔と、で構成されていることを特徴とする前記（１）乃至（９）のいずれかの光ディスク用カートリッジ。
【００２７】
（１１）前記（１）乃至（１０）のいずれかに記載の光ディスク用カートリッジと、該光ディスク用カートリッジに収容された光ディスクと、を備えることを特徴とする光記録媒体。
【００２８】
【発明の実施の形態】
以下、本発明の好ましい実施形態について図面を参照して詳細に説明する。
【００２９】
図１は、本発明の第１実施形態に係る光記録媒体１０の構造を模式的に示す側断面図、図２は同底面図である。
【００３０】
光記録媒体１０は、基板１２及び基板１２よりも薄い光透過層１４を有してなる光ディスク１６と、光ディスク１６を収容するための光ディスク用カートリッジ１８と、を備え、光ディスク用カートリッジ１８の構造に特徴を有している。
【００３１】
光ディスク１６の構造については従来と同様であるので説明を省略する。
【００３２】
光ディスク用カートリッジ１８は、略正方形の薄い箱状体で、厚さ方向の一方側が閉塞されると共に、他方側には、光ディスク１６及び外部ヘッド（図示省略）の間の情報伝達のために、光ディスク１６の光透過層１４を外部に露出させるための開口部２０が備えられ、開口部２０の開口面積が光ディスク１６の面積の約（１／４以上で１／２よりも小さい）１／３であることを特徴としている。
【００３３】
開口部２０は、具体的には略Ｕ字形状で、半円形の一端が光ディスク１６と同心的に位置するように、光ディスク用カートリッジ１８の裏面の中央近傍から前端（図１、図２における右端）まで形成されている。
【００３４】
尚、図１における符号２２は、記録、再生装置（図示省略）のドライブ機構を示している。
【００３５】
次に、光記録媒体１０の作用について説明する。
【００３６】
光記録媒体１０を記録、再生装置に装填すると、光ディスク１６の中心近傍部にドライブ機構２２が接触する。
【００３７】
装填前の光記録媒体１０の温度と記録、再生装置の内部の温度との差が小さければ、装填前後の光ディスク１６の温度変化は小さく、温度分布も均一に保持され、光ディスク１６に大きな反りが発生することはない。
【００３８】
これに対し、装填前の光記録媒体１０の温度と記録、再生装置の内部の温度との差が大きければ、光ディスク１６の温度は記録、再生装置の内部の温度に近づくように大きく変化する。
【００３９】
光ディスク１６の中心近傍部は、主としてドライブ機構２２との直接的な伝熱により比較的迅速に記録、再生装置の内部の温度に近づく。
【００４０】
一方、光ディスク１６の他の部分（中心近傍部よりも径方向外側の部分）の温度変化は、主として雰囲気を介した伝熱によるため、中心近傍部よりも若干遅れて記録、再生装置の内部の温度に近づくが、開口部２０が光ディスク１６の面積の約（１／４以上の）１／３の開口面積を有しているので、中心近傍部の温度変化に対して大幅に遅れることなく他の部分の温度も記録、再生装置の内部の温度に近づく。従って、光ディスク１６の温度分布が径方向に大きくばらつくことがない。
【００４１】
尚、開口部２０は、略Ｕ字形状で、光ディスク１６の一部だけが外部に露出するが、光ディスク１６は回転して、全体的に雰囲気に曝されるため、周方向の温度分布は均一である。
【００４２】
又、光ディスク用カートリッジ１８の一方側は閉塞されているため、比較的多量の雰囲気に曝される光透過層１４側に対し、光ディスク１６における光透過層１４の反対側に接触する雰囲気は少量であり、温度変化が若干遅れるが、開口部２０の開口面積は光ディスク１６の面積の約（１／２よりも小さい）１／３で、光透過層１４側に接触する雰囲気の量が制限されているので、光ディスク１６の温度分布が厚さ方向に大きくばらつくこともない。
【００４３】
即ち、光記録媒体１０の温度分布は、径方向、周方向、厚さ方向のいずれの方向にも大きくばらつくことがなく、許容値を超える反りが光ディスク１６に生ずることがない。
【００４４】
次に、本発明の第２実施形態について説明する。
【００４５】
図３は、本第２実施形態に係る光記録媒体３０の構造を模式的に示す側断面図、図４は同底面図、図５は同平面図である。
【００４６】
光記録媒体３０は、前記第１実施形態に係る光記録媒体１０に対し、光ディスク用カートリッジ３２が厚さ方向の一方側の前記開口部２０と共に、厚さ方向の他方側に開口する開口部３４を備え、且つ、前記開口部２０及び開口部３４はいずれも開口面積が前記光ディスク１６の面積の１／４以上であることを特徴としている。
【００４７】
又、光記録媒体３０は、開口部２０の開口面積と、開口部３４の開口面積と、の比が約（１／４よりも大きく４よりも小さい）１／３であることを特徴としている。
【００４８】
他の構造については前記光記録媒体１０と同様であるので図１及び図２と同一符号を付することとして説明を省略する。
【００４９】
開口部３４は、具体的には、光ディスク１６よりも僅かに大きな円弧と、該円弧の後端（図５における左端）近傍の直線状の弦と、で構成される形状とされ、光ディスク１６の面積とほぼ等しい開口面積を有している。
【００５０】
尚、光ディスク１６は開口部３４を挿通可能であり、光記録媒体３０は、光ディスク１６を光ディスク用カートリッジ３２から取出すことができるように構成されている。又、開口部３４から光ディスク１６に対し、印刷をすることも可能である。
【００５１】
次に、光記録媒体３０の作用について説明する。
【００５２】
光記録媒体３０を記録、再生装置に装填すると、光ディスク１６の中心近傍部分にドライブ機構２２が接触する。
【００５３】
装填前の光記録媒体３０の温度と、記録、再生装置の内部の温度との差が小さければ、装填前後の光ディスク１６は温度変化が小さく、温度分布が均一に保持され、大きな反りが光ディスク１６に発生することはない。
【００５４】
これに対し、記録、再生装置の内部の温度と光記録媒体３０の温度の差が大きければ、光ディスク１６の温度は記録、再生装置の内部の温度に近づくように大きく変化する。
【００５５】
光ディスク用カートリッジ３２は、開口部３４及び開口部２０を備えており、光ディスク１６は両面において光ディスク用カートリッジ３２の外の（記録、再生装置内の）雰囲気に曝される。尚、光ディスク用カートリッジ３２の開口部３４は開口部２０よりも開口面積が大きく、それだけ光ディスク１６における光透過層１４の反対側は光透過層１４側よりも多量の雰囲気に曝されるが、開口部２０の開口面積と、開口部３４の開口面積と、の比が約（１／４よりも大きく４よりも小さい）１／３であるので、光ディスク１６の両面における伝熱の差は小さく制限され、光ディスク１６の温度分布が厚さ方向に大きくばらつくことはない。
【００５６】
尚、開口部３４は、一部が弦をなし、光ディスク１６の一部は露出しないが、光ディスク１６が回転し、光ディスク１６が全体的に雰囲気に曝されるため、温度分布が周方向に大きくばらつくこともない。尚、開口部２０についても同様である。
【００５７】
又、光ディスク１６の中心近傍部は、ドライブ機構２２に接触しているので伝熱しやすく、中心近傍部の温度は比較的迅速に記録、再生装置の内部の温度に近づき、光ディスク１６の他の部分は、雰囲気を介して伝熱するが、開口部２０及び開口部３４はいずれも光ディスク１６の面積の１／４以上の開口面積を有するので、中心近傍部の温度変化に大幅に遅れることなく他の部分の温度も記録、再生装置の内部の温度に近づく。従って、光ディスク１６の温度分布は径方向に大きくばらつくこともない。
【００５８】
即ち、光記録媒体３０は、光ディスク１６の温度分布は径方向、周方向、厚さ方向のいずれの方向に大きくばらつくことがなく、許容値を超える反りが光ディスク１６に生ずることがない。
【００５９】
次に、本発明の第３実施形態について説明する。
【００６０】
図６は、本第３実施形態に係る光記録媒体４０の構造を模式的に示す側断面図、図７は同平面図である。
【００６１】
光記録媒体４０は、前記第２実施形態に対し、光ディスク用カートリッジ４２の厚さ方向の一方側の前記開口部２０と他方側の開口部４４とが厚さ方向に対称的な形状に形成されたことを特徴としている。他の構成については前記第２実施形態と同様であるので説明を省略する。
【００６２】
このように、厚さ方向に対称的な開口部２０と、開口部４４と、を備えているので、短時間で急激に環境温度が変化しても光ディスク１６の厚さ方向の温度分布のばらつきは微小に制限され、光ディスク１６の反りを微小な値に抑制することができる。
【００６３】
尚、光記録媒体４０は両面に光透過層及び記録層を有する両面記録タイプの光ディスク用のカートリッジとして好適である。
【００６４】
次に、本発明の第４実施形態について説明する。
【００６５】
図８は、本第４実施形態に係る光記録媒体５０の構造を模式的に示す側断面図、図９は同平面図である。
【００６６】
光記録媒体５０は、前記第２実施形態に対し、光ディスク用カートリッジ５２の厚さ方向の一方側に前記第２実施形態と同じ開口部２０を備え、他方側の開口部５４が複数（本第４実施形態では２つ）の開口孔５６、５８で構成されたことを特徴としている。他の構成については前記第２実施形態と同様であるので説明を省略する。
【００６７】
尚、開口孔５６の開口面積と、開口孔５８の開口面積と、を合わせた開口部５４の合計の開口面積は、光ディスク１６の面積の１／４以上で１／２よりも小さく、開口部５４の合計の開口面積と、開口部２０の開口面積と、の比は１／２よりも大きく２よりも小さい。
【００６８】
このように、開口部５４を複数の開口孔５６、５８で構成することにより、開口部の設計の自由度を高めることができ、光ディスク１６の反りを低減するために好適な開口部をそれだけ容易に設けることができる。又、光ディスクへの印刷等の目的に応じた設計も容易である。更に、開口部５４が複数の開口孔５６、５８に分割され、開口部５４の開口面積が大きくても、各開口孔５６、５８の開口面積は小さいので、光ディスク用カートリッジ５２内への埃等の侵入を低減する効果が得られる。
【００６９】
次に、本発明の第５実施形態について説明する。
【００７０】
図１０は、本第５実施形態に係る光記録媒体６０の構造を模式的に示す側断面図、図１１は同光記録媒体６０の平面図である。
【００７１】
光記録媒体６０は、前記第４実施形態に対し、光ディスク用カートリッジ６２の厚さ方向の一方側に前記第２実施形態と同じ開口部２０を備え、他方側の開口部６４がメッシュ状に形成されたことを特徴としている。他の構成については前記第２実施形態と同様であるので説明を省略する。
【００７２】
尚、メッシュ状の開口部６４の合計の開口面積は、光ディスク１６の面積の１／４以上で１／２よりも小さく、開口部６４の合計の開口面積と、開口部２０の開口面積と、の比は１／２よりも大きく２よりも小さい。
【００７３】
このように、開口部６４をメッシュ状とすることにより、前記第４実施形態よりも更に、光ディスク用カートリッジ５２内への埃等の侵入を低減することができる。
【００７４】
次に、本発明の第６実施形態について説明する。
【００７５】
図１２は、本第６実施形態に係る光記録媒体７０の構造を模式的に示す側断面図、図１３は同底面図である。
【００７６】
光記録媒体７０は、前記第２実施形態に対し、光ディスク用カートリッジ７２の厚さ方向一方側の開口部７４が、（前記開口部２０と同形状の）情報伝達のための情報伝達用開口孔７６と、通気用開口孔７８と、で構成されたことを特徴としている。尚、厚さ方向他方側には前記第２実施形態と同じ開口部３４を備えている。他の構成についても前記第２実施形態と同様であるので説明を省略する。
【００７７】
情報伝達用開口孔７６の開口面積と、通気用開口孔７８の開口面積と、を合わせた開口部７４の合計の開口面積は、光ディスク１６の面積の１／４以上で１／２よりも小さく、開口部７４の合計の開口面積と、開口部３０の開口面積と、の比は１／４よりも大きく４よりも小さい。
【００７８】
このように、開口部７４を、情報伝達用開口孔７６と、通気用開口孔７８と、で構成することにより、開口部の設計の自由度を高めることができ、光ディスク１６の反りを低減するために好適な開口部をそれだけ容易に設けることができる。又、開口部７４を、情報伝達用開口孔７６と、通気用開口孔７８と、で構成することにより、開口部７４の開口面積が大きくても、情報伝達用開口孔７６、通気用開口孔７８の開口面積は小さく、光ディスク用カートリッジ７２内への埃等の侵入を低減する効果が得られる。尚、通気用開口孔を前記第５実施形態のようにメッシュ状に形成すれば、埃等の侵入を更に抑制することができる。
【００７９】
次に、本発明の第７実施形態について説明する。
【００８０】
図１４は、本第７実施形態に係る光記録媒体８０の構造を模式的に示す側断面図、図１５は同光記録媒体８０の平面図である。
【００８１】
光記録媒体８０は、前記第３実施形態に対し、光ディスク用カートリッジ８２が厚さ方向の一方側の開口部２０を開閉するための第１のシャッター８４と、他方側の開口部４４を開閉するための第２のシャッター８６と、を備え、これら第１のシャッター８４と、第２のシャッター８６とが、連動して開閉するように構成されたことを特徴としている。他の構成については前記第３実施形態と同様であるので説明を省略する。
【００８２】
第１のシャッター８４は、板状体で、光ディスク用カートリッジ８２の厚さ方向の一方側の面に沿って一対配設されている。これら一対の第１のシャッター８４は、ピン８８で回転自在に支持されて相互に接近・離間することにより開口部２０を開閉自在とされている。
【００８３】
第２のシャッター８６も、第１のシャッター８４と同形状の板状体で光ディスク用カートリッジ８２の厚さ方向の他方側の面に沿って一対配設されている。又、第２のシャッター８６も、ピン８８で回転自在に支持されており、これにより第１のシャッター８４と連動して相互に接近・離間し、開口部４４を開閉自在とされている。
【００８４】
このように、第１のシャッター８４と、第２のシャッター８６と、を備えることにより、光ディスク用カートリッジ８２内への埃等の侵入を確実に防止することができる。更に、第１のシャッター８４と、第２のシャッター８６と、が連動して開閉するので、開口部２０の開口面積と、開口部４４の開口面積と、を常に等しく保つことができ、これにより、周辺温度の変化に伴う光ディスク１６の反りを微小な値に確実に抑制することができる。
【００８５】
尚、第１のシャッター又は第２のシャッターのいずれか一方だけを備えた場合も、カートリッジ内への埃等の侵入を低減する一定の効果が得られることは言うまでもない。
【００８６】
（実施例）
光ディスク用カートリッジの開口部の開口面積が異なる複数種類の光記録媒体を作製し、光ディスクの反りを測定した。
【００８７】
光ディスク用カートリッジの開口部の開口面積は、具体的には、光ディスクの面積に対して０％、１７％、２５％、３３％、５０％、７５％、１００％とし、厚さ方向の両側又は片側に各開口面積の開口部を形成してなる複数種類の光ディスク用カートリッジを作製した。これら各光ディスク用カートリッジに同様の光ディスクを収容して光記録媒体を作製した。
【００８８】
これら光記録媒体の周囲の温度を−１０℃から＋５５℃に急激に変化させ、公知の測定方法により各光記録媒体内の光ディスクの反り角を測定した。
【００８９】
測定方法は、具体的には、反り角測定器（キーエンス社製、ＬＡ−２０００）を用いて、光ディスクの光透過層側の面における外周から２ｍｍ（中心から５８ｍｍ）の位置に軸方向と平行にレーザー光を照射し、入射光の光軸と、反射光の光軸との差を反り角α（ｄｅｇ）として測定した。尚、全く反りがない場合の光ディスクの仮想面と測定部位の面とがなす角をθ（ｄｅｇ）とすると、αとθとの関係は、α＝２θである。
【００９０】
表１は、各光記録媒体の光ディスクの面積に対する厚さ方向の一方側の開口部の開口面積の割合Ａ（％）、他方側の開口部の開口面積の割合Ｂ（％）、Ａ及びＢの比Ａ／Ｂと、光ディスクの反り角αと、の関係を示したものである。
【００９１】
【表１】
2004362687.tif 000003
【００９２】
又、図１６は、横軸をＡ、縦軸をＢとして、光ディスクの反り角αが０．５（ｄｅｇ）以下の特に良好な光記録媒体を●、０．５（ｄｅｇ）よりも大きく０．７（ｄｅｇ）以下の良好な光記録媒体を○、０．７（ｄｅｇ）よりも大きい好ましくない光記録媒体を×で識別して示したグラフである。
【００９３】
表１及び図１６より、光ディスクの面積に対する厚さ方向の一方側の開口部の開口面積の割合Ａ（％）、他方側の開口部の開口面積の割合Ｂ（％）がいずれも２５％（１／４）以上で、且つ、Ａ／Ｂが１／４よりも大きく４よりも小さい光記録媒体は反り角αが０．７（ｄｅｇ）以下に制限され良好であることがわかる。
【００９４】
又、Ａ、Ｂがいずれも２５％（１／４）以上で、且つ、Ａ／Ｂが１／２よりも大きく２よりも小さい光記録媒体は反り角αが概ね０．５（ｄｅｇ）以下に制限され良好であることがわかる。
【００９５】
更に、Ａ、Ｂがいずれも５０％（１／２）よりも大きければ反り角αを０．５（ｄｅｇ）以下に確実に収めることができ、特に良好であることがわかる。
【００９６】
又、厚さ方向の一方側が閉塞されていても、他方側の開口面積の（光ディスクの面積に対する）割合が、２５％（１／４）以上で５０％（１／２）よりも小さければ、反り角αが０．７（ｄｅｇ）以下で良好であることがわかる。
【００９７】
尚、上記第１〜第６実施形態において、開口部はいずれも常時開口する構成とされているが、本発明はこれに限定されるものではなく、前記第７実施形態のように、厚さ方向の片側又は両側の開口部にシャッターを備える構成としてもよい。尚、光ディスク１６は片面側に光透過層を有する片面記録タイプであるため、厚さ方向の片側の開口部だけにシャッターを設ける場合は、光透過層側の開口部にシャッターを設けることが好ましい。
【００９８】
又、上記第１〜第７実施形態において、光ディスク１６は厚さ方向の一方側に光透過層を有する片面記録タイプであるが、本発明はこれに限定されるものではなく、両面記録タイプの光ディスクを収容するカートリッジについても本発明を適用可能である。
【００９９】
【発明の効果】
以上説明したように、本発明によれば、基板及び基板よりも薄い光透過層を有してなる光ディスクを光ディスク用カートリッジに収容しても、その反りを所定の制限値内に抑制することが可能となるという優れた効果がもたらされる。
【図面の簡単な説明】
【図１】本発明の第１実施形態に係る光記録媒体の構造を模式的に示す側断面図
【図２】同光記録媒体の底面図
【図３】本発明の第２実施形態に係る光記録媒体の構造を模式的に示す側断面図
【図４】同光記録媒体の底面図
【図５】同光記録媒体の平面図
【図６】本発明の第３実施形態に係る光記録媒体の構造を模式的に示す側断面図
【図７】同光記録媒体の平面図
【図８】本発明の第４実施形態に係る光記録媒体の構造を模式的に示す側断面図
【図９】同光記録媒体の平面図
【図１０】本発明の第５実施形態に係る光記録媒体の構造を模式的に示す側断面図
【図１１】同光記録媒体の平面図
【図１２】本発明の第６実施形態に係る光記録媒体の構造を模式的に示す側断面図
【図１３】同光記録媒体の底面図
【図１４】本発明の第７実施形態に係る光記録媒体の構造を模式的に示す側断面図
【図１５】同光記録媒体の底面図
【図１６】本発明の実施例に係る各光記録媒体の光ディスクの良否を示すグラフ
【符号の説明】
１０、３０、４０、５０、６０、７０、８０…光記録媒体
１２…基板
１４…光透過層
１６…光ディスク
１８、３２、４２、５２、６２、７２、８２…光ディスク用カートリッジ
２０、３４、４４、５４、６４、７４…開口部
２２…ドライブ機構
７６…情報伝達用開口孔
７８…通気用開口孔
８４…第１のシャッター
８６…第２のシャッター
【図１】
2004362687.tif 000004
【図２】
2004362687.tif 000005
【図３】
2004362687.tif 000006
【図４】
2004362687.tif 000007
【図５】
2004362687.tif 000008
【図６】
2004362687.tif 000009
【図７】
2004362687.tif 000010
【図８】
2004362687.tif 000011
【図９】
2004362687.tif 000012
【図１０】
2004362687.tif 000013
【図１１】
2004362687.tif 000014
【図１２】
2004362687.tif 000015
【図１３】
2004362687.tif 000016
【図１４】
2004362687.tif 000017
【図１５】
2004362687.tif 000018
【図１６】
2004362687.tif 000019